【手続補正書】
【提出日】平成18年2月27日(2006.2.27)
【手続補正１】
【補正対象書類名】明細書
【補正対象項目名】発明の名称
【補正方法】変更
【補正の内容】
【発明の名称】ストロボ撮影システムおよびカメラ
【手続補正２】
【補正対象書類名】明細書
【補正対象項目名】特許請求の範囲
【補正方法】変更
【補正の内容】
【特許請求の範囲】
【請求項１】 ストロボ撮影に際して本発光前に予備発光を行うストロボ撮影システムにおいて、
予備発光による被写体からの反射光を複数に分割して測光する測光手段と、該測光手段にて得られた複数の測光値のうちの所定の領域にて得られた測光値より第１の測光データを演算する第１の演算手段と、被写体距離情報を検出する被写体距離検出手段と、前記被写体距離情報を基に該被写体距離情報に応じた第２の測光データを演算する第２の演算手段と、前記第１および前記第２の演算手段の演算結果と前記被写体距離情報と該被写体距離情報の精度に応じた寄与率から第３の測光データを演算する第３の演算手段と、該第３の演算手段の演算結果を基に本発光量を制御してストロボ撮影を行う制御手段とを有することを特徴とするストロボ撮影システム。
【請求項２】前記第３の演算手段は、前記被写体距離情報と該被写体距離情報の精度情報の少なくとも一方を基に、前記第１および第２の演算手段の演算結果による寄与率を決定することを特徴とする請求項１に記載のストロボ撮影システム。
【請求項３】前記第１の演算手段は、複数の領域より得られる前記複数の数の測光値のうちの、焦点情報を検出する領域を含む前記予め定められた領域にて得られた測光値より第１の測光データを算出することを特徴とする請求項１または２に記載のストロボ撮影システム。
【請求項４】前記寄与率は、予め記憶手段に記憶されていることを特徴とする請求項１ないし３のいずれかに記載のストロボ撮影システム。
【請求項５】前記被写体距離情報は、レンズのフォーカシングレンズの位置より検出することを特徴とする請求項１ないし４のいずれかに記載のストロボ撮影システム。
【請求項６】前記制御手段は、前記第３の演算手段の演算結果と前記第１の演算手段の演算結果とを比較し、その差が予め定められた値以内のときは前記第１の演算手段による演算結果を用いて本発光量を制御してストロボ撮影を行うことを特徴とする請求項１ないし５のいずれかに記載のストロボ撮影システム。
【請求項７】ストロボ撮影に際して本発光前に予備発光を行わせるカメラにおいて、
予備発光による被写体からの反射光を複数に分割して測光する測光手段と、該測光手段にて得られた複数の測光値のうちの所定の領域にて得られた測光値より第１の測光データを演算する第１の演算手段と、装着される交換レンズからの被写体距離情報を基に該被写体距離情報に応じた第２の測光データを演算する第２の演算手段と、前記第１および前記第２の演算手段の演算結果と前記被写体距離情報と該被写体距離情報の精度に応じた寄与率から第３の測光データを演算する第３の演算手段と、該第３の演算手段の演算結果を基に本発光量を制御してストロボ撮影を行う制御手段とを有することを特徴とするカメラ。
【手続補正３】
【補正対象書類名】明細書
【補正対象項目名】０００１
【補正方法】変更
【補正の内容】
【０００１】
【発明の属する技術分野】本発明は、被写体に向けてストロボに予備発光を行わせ、適正露出を得るための発光量を制御してストロボ撮影を行うストロボ撮影システムおよびカメラの改良に関するものである。
【手続補正４】
【補正対象書類名】明細書
【補正対象項目名】０００７
【補正方法】変更
【補正の内容】
【０００７】
（発明の目的）本発明の目的は、被写体反射率の影響を受けにくく、かつオートフォーカスの検出誤差を受けにくい、適正なストロボ撮影を行うことのできるストロボ撮影システムおよびカメラを提供しようとするものである。
【手続補正５】
【補正対象書類名】明細書
【補正対象項目名】０００８
【補正方法】変更
【補正の内容】
【０００８】
【課題を解決するための手段】上記目的を達成するために、本発明は、ストロボ撮影に際して本発光前に予備発光を行うストロボ撮影システムにおいて、予備発光による被写体からの反射光を複数に分割して測光する測光手段と、該測光手段にて得られた複数の測光値のうちの所定の領域にて得られた測光値より第１の測光データを演算する第１の演算手段と、被写体距離情報を検出する被写体距離検出手段と、前記被写体距離情報を基に該被写体距離情報に応じた第２の測光データを演算する第２の演算手段と、前記第１および前記第２の演算手段の演算結果と前記被写体距離情報と該被写体距離情報の精度に応じた寄与率から第３の測光データを演算する第３の演算手段と、該第３の演算手段の演算結果を基に本発光量を制御してストロボ撮影を行う制御手段とを有することを特徴とするものである。
同様に、上記目的を達成するために、本発明は、ストロボ撮影に際して本発光前に予備発光を行わせるカメラにおいて、予備発光による被写体からの反射光を複数に分割して測光する測光手段と、該測光手段にて得られた複数の測光値のうちの所定の領域にて得られた測光値より第１の測光データを演算する第１の演算手段と、装着される交換レンズからの被写体距離情報を基に該被写体距離情報に応じた第２の測光データを演算する第２の演算手段と、前記第１および前記第２の演算手段の演算結果と前記被写体距離情報と該被写体距離情報の精度に応じた寄与率から第３の測光データを演算する第３の演算手段と、該第３の演算手段の演算結果を基に本発光量を制御してストロボ撮影を行う制御手段とを有することを特徴とするものである。
【手続補正６】
【補正対象書類名】明細書
【補正対象項目名】００２０
【補正方法】変更
【補正の内容】
【００２０】
まず、カメラ本体１内の回路構成について説明する。カメラマイコン１００には、焦点検出回路１０５、測光センサ７、シャッター制御回路１０７、モータ制御回路１０８、スイッチセンス回路１１０および液晶表示回路１１１が接続されている。また、カメラマイコン１００は、撮影レンズ１１内に配置されたレンズマイコン１１２とはマウント接点１０を介して信号伝達を行い、ストロボ３０内に設けられたストロボマイコン２００とはストロボ接点群３９を介して信号伝達を行う。
【手続補正７】
【補正対象書類名】明細書
【補正対象項目名】００２１
【補正方法】変更
【補正の内容】
【００２１】
焦点検出回路１０５は、カメラマイコン１００からの信号に従って焦点検出ラインセンサ２９の蓄積制御と読み出し制御を行い、それぞれの画素情報をカメラマイコン１００に出力する。カメラマイコン１００はこの情報をＡ／Ｄ変換し、位相差検出法による焦点調節状態の検出を行い、レンズマイコン１１２と信号のやりとりを行うことによって、撮影レンズ１１の焦点調節制御を行う。
【手続補正８】
【補正対象書類名】明細書
【補正対象項目名】００３８
【補正方法】変更
【補正の内容】
【００３８】
図２で示したカメラ本体１のスイッチＳＷ１がオンされると、ステップ＃１００より動作を開始する。ここでは、カメラマイコン１００は、焦点検出回路１０５を含む焦点検出ユニット２６内の焦点検出ラインセンサ２９に結像された被写体像のずれから、公知の方法で焦点検出を行い、合焦位置までのレンズ駆動量を演算して、前述のシリアル通信ラインＬＣＫ，ＬＤＯ，ＬＤＩを介してレンズマイコン１１２に対して出力する。レンズ駆動量が入力されるとレンズマイコン１１２は、フォーカス駆動モータ１６を駆動し、それに直結したパルス板５１の回転を光検出器５０で読み取り、フォーカス駆動モータ１６が指定された駆動量を駆動するとフォーカス駆動モータ１６を停止する。
【手続補正９】
【補正対象書類名】明細書
【補正対象項目名】００４４
【補正方法】変更
【補正の内容】
【００４４】
ストロボマイコン２００は、カメラ本体１より指示された所定発光レベルに応じて、ＤＡ０端子に所定の電圧を設定する。次に、Ｙ１，Ｙ０にＨｉ，Ｌｏを出力し、入力Ｄ２を選択する。このとき、Ｘｅ管３１は未だ発光していないので、第２の受光素子３５の光電流はほとんど流れず、コンパレータ２３１の反転入力端子に入力されるモニター回路２３４の出力は発生せず、コンパレータ２３１の出力はＨｉであるので、発光制御回路２１２は導通状態となる。
【手続補正１０】
【補正対象書類名】明細書
【補正対象項目名】００４６
【補正方法】変更
【補正の内容】
【００４６】
また、ストロボマイコン２００は積分回路２３６に積分開始を指示し、この指示を受けた積分回路２３６は光量積分用の第１の受光素子３８の対数圧縮された光電出力の積分を開始すると同時に、発光時間をカウントするタイマーを起動させる。
【手続補正１１】
【補正対象書類名】明細書
【補正対象項目名】００４７
【補正方法】変更
【補正の内容】
【００４７】
予備発光が開始されると、フラット発光の発光レベル制御用の第２の受光素子３５からの光電流が多くなり、モニター回路２３４の出力が上昇する。そして、モニター回路２３４の出力がコンパレータ２３１の非反転入力に設定されている所定のコンパレート電圧より高くなると、コンパレータ２３１の出力はＬｏに反転し、発光制御回路２１２はＸｅ管３１の発光電流を遮断する。これにより、放電ループが断たれるが、ダイオード２０９およびコイル２０６により環流ループを形成し、発光電流は回路の遅れによるオーバーシュートが収まった後、徐々に減少する。
【手続補正１２】
【補正対象書類名】明細書
【補正対象項目名】００５０
【補正方法】変更
【補正の内容】
【００５０】
前述したタイマーのカウントにより所定の発光時間が経過すると、ストロボマイコン２００はＹ１，Ｙ０端子をＬｏ，Ｌｏに設定する。これにより、データセレクタ２３０の入力はＤ０、すなわちＬｏレベル入力が選択され、出力は強制的にＬｏレベルとなり、発光制御回路２１２はＸｅ管３１の放電ループを遮断する。これにより、予備発光（フラット発光）が終了する。
【手続補正１３】
【補正対象書類名】明細書
【補正対象項目名】００８８
【補正方法】削除
【補正の内容】
【手続補正１４】
【補正対象書類名】明細書
【補正対象項目名】００８９
【補正方法】削除
【補正の内容】
【手続補正１５】
【補正対象書類名】明細書
【補正対象項目名】００９０
【補正方法】削除
【補正の内容】
【手続補正１６】
【補正対象書類名】明細書
【補正対象項目名】００９１
【補正方法】削除
【補正の内容】
【手続補正１７】
【補正対象書類名】明細書
【補正対象項目名】００９２
【補正方法】削除
【補正の内容】
【手続補正１８】
【補正対象書類名】明細書
【補正対象項目名】００９３
【補正方法】削除
【補正の内容】
【手続補正１９】
【補正対象書類名】明細書
【補正対象項目名】００９４
【補正方法】削除
【補正の内容】
【手続補正２０】
【補正対象書類名】明細書
【補正対象項目名】００９５
【補正方法】変更
【補正の内容】
【００９５】
【発明の効果】以上説明したように、本発明によれば、被写体反射率の影響を受けにくく、かつオートフォーカスの検出誤差を受けにくい、適正なストロボ撮影を行うことができるストロボ撮影システムまたはカメラを提供できるものである。